(57)【特許請求の範囲】
【請求項１】
育苗箱用播種機の播種装置において、
種子を条溝形状繰出し凹部に一定量を嵌入させて保持する繰出しロールと、前記条溝形状繰出し凹部に嵌合した種子を上部から下部に誘導する種子案内ガイドと、前記繰出しロールの外周に穿設された掻出しフォーク凹部に嵌入して、前記条溝形状繰出し凹部に嵌合した異物を掻出す異物掻出しフォークとを、プレートの間に一体的に支持して繰出しロールユニットを構成し、
前記繰出しロールユニットを播種装置のフレーム側板の間に脱着可能に構成した
ことを特徴とする育苗箱用播種機のロールユニット。
【請求項２】
請求項１記載の育苗箱用播種機のロールユニットにおいて、
前記繰出しロールユニットのプレートの間に軸受支持した繰出しロールの軸受の内部に係合軸孔を設け、
前記繰出しロールの軸受の係合軸孔と、前記播種装置のフレーム側板の外側に配置した駆動用の駆動スプロケットの係合軸孔とを連結する係合回転軸を設け、
前記係合回転軸を、係合軸引出し部材により引抜き脱着可能とし、前記係合回転軸を引き抜くことにより、前記繰出しロールユニットを、前記播種装置のフレーム及び播種装置の歯車から分離可能な構成とした
ことを特徴とする育苗箱用播種機のロールユニット。
【請求項３】
請求項１又は請求項２に記載の育苗箱用播種機のロールユニットにおいて、
前記播種装置のフレーム側板の間の、育苗箱の進行方向の前側に、前記繰出しロールユニットを脱着または挿入するための開口部を構成した
ことを特徴とする育苗箱用播種機のロールユニット
【請求項４】
請求項１記載の育苗箱用播種機のロールユニットにおいて、
前記繰出しロールの外周に接触して回転し、ホッパー内の種子を掃き戻す種子回転ブラシを、前記播種装置のフレーム側板の側に軸受支持し、前記繰出しロールユニットの挿入と共に、前記繰出しロールの外周と前記種子回転ブラシの外周とを接触可能な構成とした
ことを特徴とする育苗箱用播種機のロールユニット。
【発明の詳細な説明】
【技術分野】
【０００１】
本発明は、水稲の種籾等の種子を播種する育苗箱用播種機の播種装置において、種籾等の種子を繰り出す繰出しロール部分におけるメンテナンスを容易にするために、該繰出しロールの部分をユニット化して、該播種装置から脱着を可能とした育苗箱用播種機のロールユニットに関する。
【背景技術】
【０００２】
従来、育苗箱用播種機の播種装置に関する技術は公知とされているのである。特許文献１に記載の技術の如くである。従来の技術においては、播種装置の左右のフレーム側板の間に、直接的にロール支持軸を介して播種ロールを取り付け、該ロール支持軸の端部にスプロケットを取り付け、該スプロケットにチェーンを掛けて繰出しロールを駆動させる構造が一般的となっていたのである。
【先行技術文献】
【特許文献】
【０００３】
【特許文献１】特開２０１０−１１９３７２号公報
【発明の概要】
【発明が解決しようとする課題】
【０００４】
しかし、従来の育苗箱用播種機の繰出しロールの支持構造においては、繰出しロールや、繰出しロールの条溝形状繰出し凹部に保持した種子の案内ガイドや、繰出しロールのスリットに嵌合した繰出しロール下部の異物掻出しフォークを、播種装置からの取り外すのが非常に困難であり、使用時の不具合が発生した場合のメンテナンス、使用後の清掃、不具合の発生した場合の部品交換に時間が掛かるという問題があったのである。本発明は、このような不具合を解消せんとするものである。
【課題を解決するための手段】
【０００５】
本発明の解決すべき課題は以上の如くであり、次に該課題を解決するための手段を説明する。
【０００６】
請求項１においては、育苗箱用播種機の播種装置において、種子を条溝形状繰出し凹部に一定量を嵌入させて保持する繰出しロールと、前記条溝形状繰出し凹部に嵌合した種子を上部から下部に誘導する種子案内ガイドと、前記繰出しロールの外周に穿設された掻出しフォーク凹部に嵌入して、前記条溝形状繰出し凹部に嵌合した異物を掻出す異物掻出しフォークとを、プレートの間に一体的に支持して繰出しロールユニットを構成し、前記繰出しロールユニットを播種装置のフレーム側板の間に脱着可能に構成したものである。
【０００７】
請求項２においては、請求項１記載の育苗箱用播種機のロールユニットにおいて、前記繰出しロールユニットのプレートの間に軸受支持した繰出しロールの軸受の内部に係合軸孔を設け、前記繰出しロールの軸受の係合軸孔と、前記播種装置のフレーム側板の外側に配置した駆動用の駆動スプロケットの係合軸孔とを連結する係合回転軸を設け、前記係合回転軸を、係合軸引出し部材により引抜き脱着可能とし、前記係合回転軸を引き抜くことにより、前記繰出しロールユニットを、前記播種装置のフレーム及び播種装置の歯車から分離可能な構成としたものである。
【０００８】
請求項３においては、請求項１又は請求項２に記載の育苗箱用播種機のロールユニットにおいて、前記播種装置のフレーム側板の間の、育苗箱の進行方向の前側に、前記繰出しロールユニットを脱着または挿入するための開口部を構成したものである。
【０００９】
請求項４においては、請求項１記載の育苗箱用播種機のロールユニットにおいて、前記繰出しロールの外周に接触して回転し、ホッパー内の種子を掃き戻す種子回転ブラシを、前記播種装置のフレーム側板の側に軸受支持し、前記繰出しロールユニットの挿入と共に、前記繰出しロールの外周と前記種子回転ブラシの外周とを接触可能な構成としたものである。
【発明の効果】
【００１０】
本発明の効果として、以下に示すような効果を奏する。                            
【００１１】
請求項１の如く、育苗箱用播種機の播種装置において、種子を条溝形状繰出し凹部に一定量を嵌入させて保持する繰出しロールと、前記条溝形状繰出し凹部に嵌合した種子を上部から下部に誘導する種子案内ガイドと、前記繰出しロールの外周に穿設された掻出しフォーク凹部に嵌入して、前記条溝形状繰出し凹部に嵌合した異物を掻出す異物掻出しフォークとを、プレートの間に一体的に支持して繰出しロールユニットを構成し、前記繰出しロールユニットを播種装置のフレーム側板の間に脱着可能に構成したので、繰出しロールユニットとして構成した繰出しロール、異物掻出しフォーク及び種子案内ガイドを一体的に外すことができるため、メンテナンスに掛かる時間を大幅に節約できる。
【００１２】
請求項２の如く、前記繰出しロールユニットのプレートの間に軸受支持した繰出しロールの軸受の内部に係合軸孔を設け、前記繰出しロールの軸受の係合軸孔と、前記播種装置のフレーム側板の外側に配置した駆動用の駆動スプロケットの係合軸孔とを連結する係合回転軸を設け、前記係合回転軸を、係合軸引出し部材により引抜き脱着可能とし、前記係合回転軸を引き抜くことにより、前記繰出しロールユニットを、前記播種装置のフレーム及び播種装置の歯車から分離可能な構成としたので、係合軸引出し部材を引き出す操作だけで、駆動レールに固定された播種装置と、繰出しロールユニットとを分離することが簡単にできるようになったのである。
【００１３】
請求項３の如く、前記播種装置のフレーム側板の間の、育苗箱の進行方向の前側に、前記繰出しロールユニットを脱着または挿入するための開口部を構成したので、この開口部から繰出しロールユニットを脱着することができ、播種装置を分解する必要がなくなり、メンテナンスが容易となる。また、前記開口部は、繰出しロールユニットを構成する前面板で閉鎖することが可能となり、この前板を繰出しロールユニットの取付部とすることができるものである。
【００１４】
請求項４の如く、前記繰出しロールの外周に接触して回転し、ホッパー内の種子を掃き戻す種子回転ブラシを、前記播種装置のフレーム側板の側に軸受支持し、前記繰出しロールユニットの挿入と共に、前記繰出しロールの外周と前記種子回転ブラシの外周とを接触可能な構成としたので、種子回転ブラシを繰出しロールユニットに一体化する必要がなく、繰出しロールユニットに構造が簡単となると共に、繰出しロールユニットを外したときには、種子回転ブラシと繰出しロールとが別体になるので、その間の摩耗状況を確認してメンテナンスをすることが容易となったのである。
【図面の簡単な説明】
【００１５】
【図１】水稲用の育苗箱用播種機の全体斜視図。
【図２】育苗箱用播種機の中の播種装置の側面透視図。
【図３】播種装置の育苗箱の進行方向において右側側面図。
【図４】播種装置の育苗箱の進行方向において左側側面図。
【図５】播種装置のフレーム側板の間に、繰出しロールユニットを挿入する状態の側面図。
【図６】繰出しロールユニットの育苗箱の進行方向における後面図。
【図７】繰出しロールユニットの育苗箱の進行方向における右側面図。
【図８】繰出しロールユニットの育苗箱の進行方向における左側面図
【図９】フレーム側板の間の開口部に繰出しロールユニットを挿入し、固定した状態の前面図。
【図１０】フレーム側板の間に繰出しロールユニットを挿入して、係合軸引出し部材を引き出した状態の前面図。
【図１１】繰出しロールユニットのプレートに付設した回転軸引出し部材を挿入するための係合軸受の側面図。
【図１２】繰出しロールを駆動するための係合軸の係合軸引出し部材を挿入する係合孔の部分の側面図。
【図１３】係合軸引出し部材の引出し方向を示す斜視図。
【図１４】繰出しロールユニットの係合軸受と、駆動スプロケットの係合軸との間に挿入する係合回転軸の斜視図。
【図１５】繰出しロールユニットを構成する繰出しロールの正面図。
【図１６】繰出しロールの左側面板において、条溝形状繰出し凹部の傾斜構成を示す図面。
【図１７】繰出しロールの右側面板において、条溝形状繰出し凹部の配置構成を示す図面。
【図１８】繰出しロールにおける掻出しフォーク凹部の形状を示す、繰出しロールの軸心方向に沿った断面図。
【図１９】繰出しロールにおける条溝形状繰出し凹部の形状を示す、繰出しロールの軸心方向に直交する方向の断面図。
【図２０】繰出しロールユニットを構成する種子回転ブラシと繰出しロールユニットとの接触状態を示す側面図。
【図２１】繰出しロールユニットを構成する種子案内ガイドのみを取りだした側面図。
【図２２】繰出しロールに対して接触して回転し、種子ホッパーの種子で、条溝形状繰出し凹部に嵌入していない溢れた種子を種子ホッパー側へ戻す種子回転ブラシを示す図面。
【発明を実施するための形態】
【００１６】
次に、本発明を実施するための形態について図面に基づき説明する。
【００１７】
図１において、水稲育苗箱用播種機の播種装置の全体構造について説明する。
【００１８】
水稲育苗箱用播種機の播種装置は、育苗箱搬送用の駆動レールＲの上において、播種時において育苗箱を移動させる。育苗箱の搬送方向に沿って順に、床土供給装置Ａと、播種装置Ｂ、覆土装置Ｃが駆動レールＲの上に固定配置されている。該駆動レールＲの上を、育苗箱が駆動ロール５により駆動されて移送される間に、育苗箱内に床土供給装置Ａにより床土が投入され、該床土の上を均平装置Ｅにより均し、次に灌水装置Ｄにより灌水が行われ、次に、該播種装置Ｂにより種子が播種され、更に、床土と種子の上に、覆土装置Ｃにより覆土が行われて、播種作業が終了するように構成されている。Ｈは床土供給装置Ａのための駆動装置である。
【００１９】
前記床土供給装置Ａの前後の駆動レールＲの上には、床土供給装置Ａの前の位置に、駆動レールＲと床土供給装置Ａに動力を伝達する床土供給装置Ａの駆動装置Ｈが配置され、更に、床土供給装置Ａの後部に土壌面を均す均平装置Ｅと、前記灌水装置Ｄが配置されている。本発明は、この水稲育苗箱用播種機の播種装置において、播種装置Ｂの主要部を構成する繰出しロールＫのメンテナンスを容易にするのための支持構造に関するものである。
【００２０】
図１から図１０において、前記播種装置Ｂと、該播種装置Ｂにおける繰出しロールユニットＵの構造について説明する。播種装置Ｂは、上部に種子ホッパー１８を配置し、該種子ホッパー１８の内部に、播種する水稲の種子である種籾を投入する。該種子ホッパー１８の下部には、シャッター４０が配置されており、該シャッター４０を開閉操作するシャッター操作部３９が設けられている。該シャッター４０から落下した種子は、前記繰出しロールＫと種子回転ブラシ３３の間の空間に移動し、該繰出しロールＫの周囲の条溝形状繰出し凹部８内に一部が落下する。
【００２１】
前記繰出しロールＫの周囲に育苗箱の進行方向に直角方向に左右に形成された条溝形状繰出し凹部８内に嵌入しないで溢れた種子は、繰出しロールＫの回転と共に、図２０において図示している如く、繰出しロールＫの回転方向Ｖとは逆の方向に回転している種子回転ブラシ３３により掻き取られて、種子ホッパー１８の下部に戻る。
【００２２】
前記種子ホッパー１８は、播種装置Ｂを構成する左右のフレーム側板４Ｌ・４Ｒの間に支持されており、該フレーム側板４Ｌ・４Ｒの内側に、駆動モーターが固設されて、該駆動モーターの駆動モータ軸３２からモータスプロケット３６を経て、カウンター軸３８のカウンタースプロケット３７にチェーン７０により動力が伝達される。該カウンタースプロケット３７から繰出しロールＫの駆動スプロケット３４にチェーン７０が巻回されて、動力が伝達されている。
【００２３】
前記駆動スプロケット３４は、スプロケット支持板４１と、フレーム側板４Ｒとの間において、係合回転筒軸である六角回転筒軸１１により軸受支持されている。即ちフレーム側板４Ｒの軸受４３と、スプロケット支持板４１の軸受４２と間に、前記係合回転筒軸である六角回転筒軸１１が架設されて軸受支持されており、該六角回転筒軸１１の外周に前記駆動スプロケット３４が固設されて回転自在とされているのである。
【００２４】
そして、前記六角回転筒軸１１の内部に、回転軸引出し部材１６により引出し操作ができる係合回転軸である六角回転軸１５が挿入されて、該六角回転軸１５の先端が、駆動スプロケット３４の六角回転筒軸１１の六角孔を貫通して、更に、前記繰出しロールユニットＵを構成するロール側板１７Ｌ・１７Ｒの六角孔軸受１４の内輪に嵌入した筒軸１４ａの六角孔に挿入可能としている。該回転軸引出し部材１６は、前記六角回転筒軸１１の外側に押圧されて、固定螺子１６ａにより固定されており、該回転軸引出し部材１６は、六角回転筒軸１１と駆動スプロケット３４と共に、駆動スプロケット３４の回転時には、同じく回転しているのである。
【００２５】
この六角回転軸１５を、六角孔軸受１４の筒軸１４ａからの抜き出し動作を回転軸引出し部材１６により行うことにより、繰出しロールユニットＵと、繰出しロールＫと、駆動スプロケット３４の間の駆動連結状態が解除されて、繰出しロールユニットＵを、播種装置Ｂの前方の開口部Ｑから取り出し可能としているのである。
【００２６】
前記繰出しロールユニットＵの回転軸引出し部材１６が設けられている側と、逆の他側も、繰出しロールユニットＵの軸受状態を簡単に解除可能な構成としており、回転軸引出し部材１６の側から、固定螺子１６ａを螺装して付勢バネＳを介して、回転軸引出し部材１６に固定螺子１６ａにより固定する操作により、六角回転筒軸１１の内径の六角孔１１ａの内部に配置された付勢バネＳが、六角回転軸１５を押圧して、繰出しロールユニットＵ全体を、左側のロール側板１７Ｌ側に押圧して、該左側の軸受部が簡単係合され、繰出しロールＫの回転が可能に軸受支持されている。
【００２７】
次に、繰出しロールユニットＵの構成について説明する。該繰出しロールユニットＵは、左右のロール側板１７Ｌ・１７Ｒと、その間に一体的に仕組みとして構成された、繰出しロールＫと、種子案内ガイド３５と、異物掻出しフォーク２により構成されている。従来は、種子案内ガイド３５と異物掻出しフォーク２は、播種装置Ｂのフレーム側板４Ｌ・４Ｒに架設されており、繰出しロールＫだけが、フレーム側板４Ｌ・４Ｒに回転自在に軸受支持されていたのである。
【００２８】
本発明においては、フレーム側板４Ｌ・４Ｒの内側に、ロール側板１７Ｌ・１７Ｒを配置し、該ロール側板１７Ｌ・１７Ｒの間に、異物掻出しフォーク２と種子案内ガイド３５を固定し、繰出しロールＫを軸受支持し、全体として、開口部Ｑから取りだし可能な繰出しロールユニットＵを構成しているのである。そして、播種装置Ｂの開口部Ｑは、繰出しロールユニットＵの後面板１により閉鎖して、該後面板１を播種装置Ｂに取り付けることにより繰出しロールユニットＵの固定を可能としているのである。
【００２９】
このように構成した繰出しロールユニットＵを、播種装置Ｂの前側の開口部Ｑから、脱着可能としており、前記回転軸引出し部材１６により、六角回転軸１５を引き出して、図９の状態から、図１０の状態に六角回転軸１５を引出し可能として、駆動スプロケット３４と繰出しロールＫとの間の動力伝達状態を断・接することができるように構成しているのである。
【００３０】
繰出しロールユニットＵを構成する種子案内ガイド３５は、図２１に図示されており、繰出しロールＫの外周に沿うような半円の筒状に構成されている。また、異物掻出しフォーク２は、図２２に示すように、涙滴状の形状の板を、繰出しロールＫの掻出しフォーク凹部９の数だけ多数を、支持軸２ａ・２ｂの間に連設して、左右のロール側板１７Ｌ・１７Ｒの幅に至るように構成し、該１枚・１枚が、繰出しロールＫの外周の掻出しフォーク凹部９に嵌合するように配置されているのである。
【００３１】
図１５に示す繰出しロールＫの実施例の図面においては、該掻出しフォーク凹部９は、７．１５ｍｍの幅で、４０本が穿設されており、異物掻出しフォーク２も、７．１５ｍｍの幅で、４０本が、ロール側板１７Ｌ・１７Ｒの間にセットとして同一間隔で固設された構成とされている。
【００３２】
次に、繰出しロールＫの特殊な構造について説明する。従来の繰出しロールＫは、その表面において、種子が嵌入する条溝形状繰出し凹部８は、繰出しロールＫの回転軸心と同一方向に、母線Ｗと並行に、角度６°の間隔を開けて６０本が穿設されていたのである。しかし、この母線Ｗと並行の間隔で、条溝形状繰出し凹部８が穿設された場合に、公知の繰出しロールは、繰出しロールの外周面に母線Ｗ方向に平行な横状溝形状の繰出し凹部を形成しており、ホッパー内の種籾を掃き戻す種子回転ブラシ３３は繰出しロールの外周面に常時密着して回転している。
【００３３】
このような従来の構成では、横溝形状を一定間隔に形成しているために、種子回転ブラシが接触する繰出しロールの外周面と、繰出しロールが接触しない横状溝凹部ができ、回転ブラシの消耗が一定でないという課題があった。また、従来の公知のロールは、ロールの外周面に母線Ｗ方向に平行な横状溝形状の繰出し凹部を形成しているだけのため、高速回転時にブリッジを起こすという課題があった。本発明においては、図１５に図示する如く、繰出しロールＫの左右の端部から端部へ、母線Ｗに対して、８．１度だけ傾斜した斜めの、スクリュー溝状に構成しているのである全部で６０本の条溝形状繰出し凹部８が全て同じ方向に傾斜したスクリュー溝に構成されているのである。
【００３４】
これにより、種子回転ブラシが接触する繰出しロールの外周面と、繰出しロールが接触しない横状溝凹部ができ、回転ブラシの消耗が一定でないという課題を解消し、かつ、ロールの外周面に母線Ｗ方向に平行な横状溝形状の繰出し凹部を形成しているだけのため、高速回転時にブリッジを起こすという課題も解消できたのである。
【００３５】
また、図１８において図示する如く、繰出しロールＫの左右端部における、条溝形状繰出し凹部８の左右端部の終端の部分の構成は、従来は、一気に溝が終息していたのであるが、本発明においては、図１８に示す如く、周囲に穿設されている４０本の掻出しフォーク凹部９の左右端部の２〜３本の間で、徐々に、幅が狭くなり、かつ深さが浅くなって、終息して消えるように構成しているのである。これによっても、種子が条溝形状繰出し凹部８に入り安く、また落下部分で容易に落下することができるように構成することができたのである。
【００３６】
また、繰出しロールＫの周囲の条溝形状繰出し凹部８は、その回転軸心方向の断面において、図１９の如く、断面の形状が構成されているのである。即ち、該条溝形状繰出し凹部８は、種子の嵌入する断面視で略Ｕ字状の溝を、半径２．５ｍｍの円弧で、その途中部分から、回転方向Ｖに向けて前側に直線で平坦部を３．３４ｍｍを４５度の角度で面取りした形状となっているのである。本発明においては、このような条溝形状繰出し凹部８の回転方向Ｖの前側への、条溝形状繰出し凹部８の前側面取り部８ａを設けているのに加えて更に、本発明では、該面取り加工部８ａ以外に、条溝形状繰出し凹部８の回転方向Ｖの後側にも、最後の出口側の部分に、深さ１ｍｍ程度の角度４５度の後側面取り部分８ｂを構成したものである。
【００３７】
即ち、条溝形状繰出し凹部８の後側面取り部分８ｂは、種子が凹部から後方へ落下しない程度に曲面に面取り加工を施した形状としているのである。これにより、横状溝の面取りを回転方向Ｖにのみ行い、嵌合した種子を後方に落下させない形状になっているが、条溝の凹部への種子の誘導面が狭いため、うまく種子が嵌合しないという課題があったが、この課題を解決することができたものである。即ち、このように構成することにより、条溝形状繰出し凹部８への種子の嵌合がスムースに行え、かつ、種子の落下位置においてもスムースに落下する条溝形状繰出し凹部８の形状とすることができたものである。
【００３８】
即ち、本発明は、水稲育苗箱用播種機の播種装置において、育苗箱搬送用の駆動部と、その搬送途中に育苗箱に床土を入れる床土供給装置Ａと、該床土供給装置Ａを通過後に、床土上面から灌水する灌水装置Ｄと、灌水後の床土上に規定量の水稲種籾を播種する播種装置Ｂと、播種後に上面から規定量の覆土を落とす覆土装置Ｃから構成される水稲用育苗箱播種機において、繰出しロールＫと、異物掻出しフォーク２と、播種ローラに嵌合した種子を上部から下部に誘導するための種子案内ガイド３５を一体型の構造とし、播種装置のフレーム及び播種装置Ｂの歯車から分離できる構造としたものである。
【００３９】
更に、繰出しロールＫとフォークＦとロールガイドＬを、左右のプレート３Ｌ・３Ｒで挟み、繰出しロールＫの側面の中心に、六角孔の軸受１４を設けた一体型の構造とし、播種装置Ｂを構成する左右のフレーム側板４Ｌ・４Ｒ、及び歯車１５と分離することができる構造とする。即ち、繰出しロールＫの側板を構成するロール側板１７Ｌ・１７Ｒの中心の六角孔軸受１４の内輪に固定した筒軸１４ａに嵌合する六角回転軸１５が、播種装置Ｂのフレーム側板４Ｌ・４Ｒにおいて回転している駆動スプロケット３４と連結する構造である。
【００４０】
また、繰出しロールＫとフォークＦとロールガイドＬを、左右のプレート３Ｌ・３Ｒで挟み、繰出しロールＫの側面の中心に、六角孔の軸受１４を設けた一体型の構造とし、播種装置Ｂを構成する左右のフレーム側板４Ｌ・４Ｒ、及び駆動スプロケット３４と分離することができる構造とする。即ち、繰出しロールＫの側板を構成するロール側板１７Ｌ・１７Ｒの中心の六角孔軸受１４の内輪に固定した筒軸１４ａに嵌合する六角の回転軸１５が、フレーム側板４Ｌ・４Ｒと固定されている駆動スプロケット３４と連結する構造である。
【００４１】
また、繰出しロールＫの外周面に、母線Ｗ方向に対して斜めの条溝形状繰出し凹部８を全周に形成したものである。即ちスクリュー構造である。ロールの外周面に、フォークＦが嵌入する掻出しフォーク凹部９を開口したものである。また、斜めの条溝形状繰出し凹部８には、種子が凹部から後方へ落下しない程度に曲面に面取り加工８ａ・８ｂを施した形状にする。
【００４２】
本発明は、育苗箱用播種機の播種装置において、種子を条溝形状繰出し凹部８に一定量を嵌入させ保持する繰出しロールＫと、該条溝形状繰出し凹部８に嵌合した種子を上部から下部に誘導するための種子案内ガイド３５と、該繰出しロールＫの外周に穿設された掻出しフォーク凹部９に嵌入して、条溝形状繰出し凹部８に嵌合した異物を掻出す異物掻出しフォーク２を、プレート３Ｌ・３Ｒの間に一体的に支持した繰出しロールユニットＵを構成し、該繰出しロールユニットＵを、播種装置Ｂのフレーム側板４Ｌ・４Ｒの間に脱着可能にしたものである。
【００４３】
また、前記繰出しロールユニットＵのプレート３Ｌ・３Ｒの間に軸受支持した繰出しロールＫの六角孔の軸受１４の内部に筒軸１４ａを設け、該筒軸１４ａに、前記播種装置Ｂのフレーム側板４Ｌ・４Ｒの外側に配置した駆動用の駆動スプロケット３４の六角回転筒軸１１の六角孔１１ａとを連結する六角回転軸１５を設け、該六角回転軸１５を、回転軸引出し部材１６により引抜き脱着可能とし、該六角回転軸１５を引き抜くことにより、前記繰出しロールユニットＵを、播種装置のフレーム及び播種装置Ｂの歯車から分離できる構造としたものである。
【００４４】
また、前記播種装置Ｂを形成するフレーム側板４Ｌ・４Ｒの間の、育苗箱の進行方向の前側に、前記繰出しロールユニットＵを脱着または挿入するための開口部Ｑを構成したものである。
【００４５】
また、前記繰出しロールＫの外周に接触して回転し、ホッパー内の種籾を掃き戻す種子回転ブラシ３３は、フレーム側板４Ｌ・４Ｒの側に軸受支持し、繰出しロールユニットＵの挿入と共に、繰出しロールＫの外周と種子回転ブラシ３３の外周が接触可能としたものである。
【符号の説明】
【００４６】
Ａ  床土供給装置
Ｂ  播種装置
Ｃ  覆土装置
Ｄ  灌水装置
Ｅ  均平装置
Ｆ  フォーク
Ｋ  繰出しロール
Ｒ  駆動レール
Ｍ  回転ブラシ
Ｑ  開口部
Ｓ  付勢バネ
Ｕ  繰出しロールユニット
Ｖ  繰出しロールの回転方向
Ｗ  母線
２  異物掻出しフォーク
３Ｌ・３Ｒ  プレート
４Ｌ・４Ｒ  フレーム側板
５  駆動ロール
８  条溝形状繰出し凹部
８ａ  前側面取り加工
８ｂ  後側面取り部分
９    掻出しフォーク凹部
１１  六角回転筒軸
１４  六角孔軸受
１５  六角回転軸
１６  回転軸引出し部材
１７  ロール側板
１８  種子ホッパー
３２  駆動モータ軸
３３  種子回転ブラシ
３４  駆動スプロケット
３５  種子案内ガイド
３６  モータスプロケット
３７  カウンタースプロケット
３８  カウンター軸
３９  シャッター操作部
４０  シャッター
４１  スプロケット支持板
７０  チェーン
【図１】
0006685494.tif 000002
【図２】
0006685494.tif 000003
【図３】
0006685494.tif 000004
【図４】
0006685494.tif 000005
【図５】
0006685494.tif 000006
【図６】
0006685494.tif 000007
【図７】
0006685494.tif 000008
【図８】
0006685494.tif 000009
【図９】
0006685494.tif 000010
【図１０】
0006685494.tif 000011
【図１１】
0006685494.tif 000012
【図１２】
0006685494.tif 000013
【図１３】
0006685494.tif 000014
【図１４】
0006685494.tif 000015
【図１５】
0006685494.tif 000016
【図１６】
0006685494.tif 000017
【図１７】
0006685494.tif 000018
【図１８】
0006685494.tif 000019
【図１９】
0006685494.tif 000020
【図２０】
0006685494.tif 000021
【図２１】
0006685494.tif 000022
【図２２】
0006685494.tif 000023